【手続補正書】
【提出日】平成26年6月12日(2014.6.12)
【手続補正１】
【補正対象書類名】特許請求の範囲
【補正対象項目名】全文
【補正方法】変更
【補正の内容】
【特許請求の範囲】
【請求項１】
所定の直径、厚みおよび重量を有する硬貨を正貨として選別する硬貨セレクタであって、
硬貨が投入される入口と、
前記正貨の厚みより僅かに大きい間隔で垂直に対向配置した第1及び第2ガイドボードによって画定され、前記入口に続いて上下方向に延びて、前記投入された硬貨を下方に案内する第1通路と、
前記正貨の直径より僅かに小さい間隔で配置されると共に、前記第1通路に突出して前記第１通路における硬貨を支持する第1爪及び第2爪を有し、当該第1及び第2爪によって支持された前記硬貨の重量に応じて回動可能であって、当該回動により前記硬貨を前記第1通路の側方へ誘導する、前記入口の下方において前記第1通路に隣接して配置されたクレードルと、
前記クレードルに対応して前記第1通路の側方に配置されると共に、下流側下がりに傾斜し、前記クレードルにより誘導された前記硬貨が転動するガイドレールと、
前記ガイドレールの下方に配置され、前記ガイドレールを転動した前記硬貨が落下する第2通路と、を備え、
前記第2通路を落下する前記硬貨を正貨とする硬貨セレクタにおいて、
前記ガイドレールは、前記クレードルと反対側の端部に、隣り合う巻線が実質的に密着して形成されたコイルスプリングを有し、
前記入口に投入された硬貨が前記所定の直径、厚みおよび重量を有し、且つ、糸状部材が連結された硬貨である場合に、前記コイルスプリングは、前記第2通路に案内された前記硬貨の前記糸状部材を保持し、前記入口から前記糸状部材を介して前記硬貨が移動されることを防止する機能を有することを特徴とする硬貨セレクタ。
【手続補正２】
【補正対象書類名】明細書
【補正対象項目名】全文
【補正方法】変更
【補正の内容】
【発明の詳細な説明】
【発明の名称】硬貨セレクタ
【技術分野】
【０００１】
本発明は、自動販売機やゲーム機等に用いられ、硬貨の正偽を判別して選別する硬貨セレクタに関する。
詳しくは、硬貨に天蚕糸等を繋いで硬貨セレクタのセンサ部を往復動させることにより不正に正貨数として計数させる、所謂、糸釣りを防止できる装置を有する硬貨セレクタに関する。
更に詳しくは、機械的に硬貨の正偽を判別して選別する硬貨セレクタにおける、糸釣り防止装置を有する硬貨セレクタに関する。
なお、本明細書で使用する「硬貨」は、通貨である硬貨の他、ゲーム用のメダル、トークン等の代用硬貨も包含する。
【背景技術】
【０００２】
糸釣り防止の第１の従来技術として、コイン投入口から投入された硬貨は、硬貨レール上を転動した後、硬貨センサに導かれるが、硬貨レールと硬貨センサとの間の最短経路にＶ字形の糸切り板を配置し、当該糸切り板によって硬貨につないだ釣り糸を切断することが知られている(例えば、特許文献１参照)。
【０００３】
糸釣り防止の第2の従来技術として、硬貨レールと硬貨センサとの間に柔らかいゴム、スポンジからなる押さえ部材を配置し、糸釣り硬貨の釣り糸を挟み込んで釣り糸を上下できないようにすることによって、繰り返し不正を防止ことが知られている(例えば、特許文献1参照)。
【０００４】
糸釣り防止の第3の従来技術として、第1の従来技術における糸切り板をカッタとすることが知られている(例えば、特許文献1参照)。
【先行技術文献】
【特許文献】
【０００５】
【特許文献１】実開昭62-199881（図5及び10、2頁-5頁）
【発明の概要】
【発明が解決しようとする課題】
【０００６】
第１従来技術においては、糸切り板の切れ味が悪くなると切断された糸がＶ字状の糸切り板に挟まれて残る。この後、糸釣り硬貨を投入した場合、釣り糸が残存している前の釣り糸の上に重なるため、後の釣り糸が糸切り板に接触しないので、切断できないことがある。これにより、後の糸釣り硬貨が上下されて不正に計数される問題がある。
【０００７】
第2の従来技術において、一本の太い釣り糸が押さえ部材によって挟まれた場合、後に投入された硬貨の釣り糸が細い場合、前の太い釣り糸に上を滑り、自由に上下動可能になる。これにより、後の糸釣り硬貨が上下されて不正に計数される問題がある。
【０００８】
第3の従来技術において、釣り糸はカッタによって切断されるため、第1の従来技術や第2の従来技術のように前の釣り糸の保護作用によって、後の釣り硬貨による不正が可能にすることを防止できる。しかし、カッタを用いるため、コインセレクタの製造工程又はメンテナンス時に作業者が怪我をする恐れがあり、俄に採用することはできない。
【０００９】
本発明の第１の目的は、糸釣り硬貨による不正な計数を防止できる糸釣り防止装置を備えた硬貨セレクタを提供することである。
本発明の第2の目的は、怪我をすることがなく、かつ、糸釣り硬貨による不正な計数を防止できる糸釣り防止装置を備えた硬貨セレクタを提供することである。
本発明の第3の目的は、怪我をすることなく、後付可能であり、かつ、低コストであって、糸釣り硬貨による不正な計数を防止できる糸釣り防止装置を備えた硬貨セレクタを提供することである。
【課題を解決するための手段】
【００１０】
この目的を達成するため、本発明にかかる糸釣り防止装置を備えた硬貨セレクタは次のように構成されている。
本発明の第1の好ましい態様は、所定の直径、厚みおよび重量を有する硬貨を正貨として選別する硬貨セレクタであって、硬貨が投入される入口と、前記正貨の厚みより僅かに大きい間隔で垂直に対向配置した第1及び第2ガイドボードによって画定され、前記入口に続いて上下方向に延びて、前記投入された硬貨を下方に案内する第1通路と、前記正貨の直径より僅かに小さい間隔で配置されると共に、前記第1通路に突出して前記第１通路における硬貨を支持する第1爪及び第2爪を有し、当該第1及び第2爪によって支持された前記硬貨の重量に応じて回動可能であって、当該回動により前記硬貨を前記第1通路の側方へ誘導する、前記入口の下方において前記第1通路に隣接して配置されたクレードルと、前記クレードルに対応して前記第1通路の側方に配置されると共に、下流側下がりに傾斜し、前記クレードルにより誘導された前記硬貨が転動するガイドレールと、前記ガイドレールの下方に配置され、前記ガイドレールを転動した前記硬貨が落下する第2通路と、を備え、前記第2通路を落下する前記硬貨を正貨とする硬貨セレクタにおいて、前記ガイドレールは、前記クレードルと反対側の端部に、隣り合う巻線が実質的に密着して形成されたコイルスプリングを有し、前記入口に投入された硬貨が前記所定の直径、厚みおよび重量を有し、且つ、糸状部材が連結された硬貨である場合に、前記コイルスプリングは、前記第2通路に案内された前記硬貨の前記糸状部材を保持し、前記入口から前記糸状部材を介して前記硬貨が移動されることを防止する機能を有することを特徴とする硬貨セレクタである。
【００１１】
本発明の第2の好ましい態様は、上記第1の好ましい態様において、前記コイルスプリングの線径が0.25〜0.3ミリであることを特徴とする。
【発明の効果】
【００１２】
第一番目の発明において、硬貨入口に投入された正貨は、硬貨通路を落下してクレードルに保持され、さらに、クレードルに作用するモーメントによって横方向へ転動され、ガイドレール上に移送される。ガイドレール上を転動する正貨は、所定の速度でガイドレール及び当該ガイドレールに連続配置されたコイルスプリング上を転動してコイルスプリング端から落下する。所定の速度で落下した正貨は所定の経路を通って受入通路に達し、その後カウントセンサによって検知された後、金庫に落下して保留される。偽貨は、所定の経路を通って返却通路に達し、返却される。
糸釣り硬貨が投入され、受入通路へ達した場合、カウントセンサを通過した後、釣り糸を引き上げることによりカウントセンサを超えて受入通路側へ引き戻される。この際、釣り糸の張力は増加し、また、コイルスプリングはその巻線の隙間が釣り糸の延在方向に位置するので、巻線間に進入し、隣接する巻線によって挟まれて保持される。これによって、硬貨の自重によって再び落下することは出来ないので不正に硬貨の計数が行われることはない。
異なる糸釣り硬貨が投入された場合、後から投入された硬貨は前の糸釣り硬貨の側方に位置することになるから、釣り糸の位置は前の釣り糸と異なる位置のコイルスプリングに接する可能性が高い。これにより、釣り糸は異なる巻線間に挟まれて保持される。よって、不正に硬貨の計数がなされることはない。
【００１３】
第二番目の発明において、コイルスプリングは、線径が0.25〜0.3ミリである。コイルスプリングのバネ定数は、線径の4乗に比例する。換言すれば、線径の4乗に比例してスプリングの変形力が増加し、釣り糸が巻線間に進入し難くなる。一方、バネ定数が小さい場合、巻線間の圧接力による保持力が小さく、釣り糸の上下動に伴って硬貨も上下動してしまい、不正な計数を防止することができない。さらに、釣り糸よりも大幅に線径が細い場合、釣り糸が巻線間に入り込めない場合もある。しかし、一般的に用いられる釣り糸は0.3ミリ程度であり、スプリングの巻線の線径が約0.3ミリの場合、釣り糸の巻線間への進入及び保持につき何ら問題ないことを確認した。
【図面の簡単な説明】
【００１４】
【図１】図１は、本発明の実施例の硬貨セレクタの斜視図である。
【図２】図２は、本発明の実施例の硬貨セレクタの正面図である。
【図３】図３は、本発明の実施例の硬貨セレクタの可動ガイドプレートを開いた状態の斜視図である。
【図４】図４は、本発明の実施例の硬貨セレクタの硬貨通路の概略図である。
【図５】図５は、図2におけるＸ―Ｘ線断面図である。
【図６】図６は、図2におけるＹ―Ｙ線断面図である。
【図７】図７は、本発明の実施例の硬貨セレクタの作用説明図である。
【図８】図8は、本発明の実施例の硬貨セレクタにおけるコイルスプリングの作用説明図である。
【発明を実施するための形態】
【００１５】
硬貨の厚みより僅かに大きい間隔で垂直に対向配置した平板状のバックボードと可動ガイドボードとより画定された上下方向に延びる硬貨通路と、この硬貨通路の上端に形成された硬貨入口と、この硬貨入口の下方に配置されたクレードルと、前記クレードルの斜め下方に配置されたガイドレールとを備え、前記硬貨入口より投入された硬貨は、前記ガイドレールを転動しその先端から自重にて斜め下方に自由落下可能とされ、その自由落下の途上において硬貨通路の下方に位置する受入通路若しくは返却通路に案内して選別するようにした硬貨セレクタにおいて、前記ガイドレールの下流端に、隣り合う巻線が実質的に密着して形成されたコイルスプリングを配置し、前記コイルスプリンの線径が0.25〜0.3ミリであることを特徴とする糸釣り防止装置を備えた硬貨セレクタである。
【実施例】
【００１６】
次に図1〜図8を参照して実施例を説明する。
本実施例の硬貨セレクタ100は、大まかには固定ガイドボード102、可動ガイドボード104、硬貨通路106、硬貨入口108、クレードル112、ガイドレール114、固定磁石116、受入通路118、返却通路122及びコイルスプリング124を含んでいる。上記構成の内、コイルスプリング124を除いた他の構成要素は公知であるので、簡単に説明する。
【００１７】
まず、固定ガイドボード102が説明される。
固定ガイドボード102は、鉛直方向に延在する硬貨通路106の垂立する一面を構成すると共に可動ガイドボード104、そのほか部品が固定される機能を有する。
固定ガイドボード102は垂直に配置された平板状のバックボード126と、その両サイドを前方に直角に折り曲げた左サイドボード126L及び右サイドボード126Rを有する。
固定ガイドボード102は、バックボード126、左サイドボード126L及び右サイドボード126Rと共に、鉄等の金属をプレス加工、又は、所定の対摩耗性及び強度を有する樹脂により一体成型されうる。本実施例は、樹脂にて一体成型されている。
バックボード126は垂立された矩形の平板である。
左サイドボード126L及び右サイドボード126Rから横向きにそれぞれ2本の円柱形の係止ピン128A、128B及び132A、132Bが外向きに突出固定され、ゲーム機(図示せず)等内のブラケットに係止される。これにより、硬貨セレクタ100はゲーム機等に内蔵される。
右サイドボード126Rには、右サイドボード126Rに対して直角の関係を有すると共に、所定の間隔を有して左サイドボード126Lに向かって突出する一対の第1軸受134A、134Bが形成され、一対の第1軸受134A、134Bの間には、右サイドボード126Rの左サイドボード126Lと相対する面に平行な固定軸136が設けられて
いる。固定軸136には、可動ガイドボード104及びブラケット184のそれぞれが固定軸136を中心に回動可能に固定されている。
【００１８】
次に可動ガイドボード104が説明される。
可動ガイドボード104は、硬貨通路106のバックボード126とは反対側の一面を画定すると共に、クレードル112、ガイドレール114、固定磁石116、及びコイルスプリング124が取り付けられる機能を有する。
本実施例において可動ガイドボード104は、樹脂にて一体成型され、倒立台形状の平板であり、右サイドボード126Rと左サイドボード126L間の上側半分において、バックボード126に対し所定の間隔で平行に配置される。
具体的には、可動ガイドボード104は、可動ガイドボード104の右端部、すなわち右サイドボード126R側の端部に設けられた一対の軸支部140A、140Bに固定軸136が挿入され、固定軸136を中心にバックボード126に対して回動可能に右サイドボード126Rに固定されている。可動ガイドボード104は、スプリング138によってバックボード126側へ付勢され、左端部、すなわち左サイドボード126B側の端部のＬ形部142がバックボード126に突き当たって静止される。
これにより、バックボード126と可動ガイドボード104とは硬貨の厚みよりも僅かに大きい間隔で平行に配置され、上下方向に垂直に延びる硬貨通路106を形成している。
【００１９】
次に硬貨通路106が説明される。
硬貨通路106は、硬貨入口108に投入された硬貨Cが転動又は落下し、正貨口144又は偽貨口146へ案内される機能を有する。
硬貨通路106は、主にバックボード126、右サイドボード126R、左サイドボード126L、可動ガイドボード104及び前カバ130によって画定形成される。
【００２０】
次に硬貨入口108が説明される。
硬貨入口108は、硬貨通路106の上端に形成された硬貨Cの入口である。
硬貨入口108は、バックボード126の左端上端部に形成した横方向に所定の長さを有する第1凹部148と、この第1凹部148に相対して可動ガイドボード104の左端上端部に形成した矩形下すぼまりの第2凹部152とによって画定形成されている。換言すれば、硬貨入口108は硬貨セレクタ100の左側上端部の左サイドボード126Ｌに近接して位置し、下すぼまりに形成された横長スリット形の上下方向に延在する通路である。さらに換言すれば、第1凹部148と第2凹部152とによって、投入される硬貨Cの厚み及び直径よりも僅かに大きな厚み及び長さに形成されたスリット形の開口である。
これにより、硬貨入口108において、おおよその硬貨の直径と厚みとが選別される。
さらに詳細には、図3に示すように、Ｌ形部142に隣接し、左上方に向かって傾斜する第1案内面154を有する直径規制片156が、可動ガイドボード104の横方向に伸びる長孔158を貫通するスクリュウ162によって、可動ガイドボード104に固定されている。
【００２１】
直径規制片156は、長孔158の範囲において、対面する可動ガイドボード104の規制面164との距離が調整可能である。
すなわち、直径規制片156と規制面164との間の最少間隔、すなわち長さlは、選別対象の硬貨Cの直径よりも僅かに大きく設定される。
また、硬貨入口108の厚みは、選別対象の硬貨Cの厚みよりも僅かに大きく設定されている。
したがって、図4において、硬貨入口108の長さlよりも直径が大きい硬貨や、厚みが厚い硬貨は、硬貨入口108を通過することができず、一次選別される。
【００２２】
次にクレードル112が説明される。
クレードル112は、硬貨Cの直径及び重量によって、正貨TCと偽貨FCとを選別する機能を有する。
硬貨入口108の直ぐ下方に、所定の間隔で配置された第1爪166A及び第2爪166Bを有する公知のクレードル112が配置されている。
クレードル112は、可動ガイドボード104の表側において横方向に突出する第2固定軸168に回動自在に取り付けられ、可動ガイドボード104に形成され、第2固定軸168を中心として円弧をなす第1円弧孔172A及び第2円弧孔172Bを通って硬貨通路106へ突出するが、その先端はバックボード126に近接した位置に位置する。
正貨TCがクレードル112の第1爪166A及び第2爪166B上に保持された場合、クレードル112には正貨TCによって図4において反時計方向に所定のモーメントが作用するので、同方向へ回動される。
正貨TCよりも小径の偽貨FCは、第1爪166A及び第2爪166B上に保持されないので、真下へ落下し、その下方に位置する逸らせ板160によって前側のキャンセル通路244に案内され、キャンセル通路244の傾斜する底壁246上を転動してキャンセル口248から落下する。
直径が正貨TCと同一であって、正貨TCよりも重量が軽い偽貨FCの場合、クレードル112に所定値以上のモーメントが作用しないので、クレードル112は反時計方向へ回動されず、停滞する。
直径が正貨TCと同一であって、正貨TCよりも重量が重い偽貨FCの場合、正貨TCと同様にクレードル112に所定値以上のモーメントが作用するので、クレードル112は図4において反時計方向に回動され、偽貨FCがガイドレール114上を転動し、後述のアンビル222に落下する。
【００２３】
次にガイドレール114が説明される。
ガイドレール114は、クレードル112の回動によって落下した硬貨C(正貨TC)を転動させて案内する機能を有する。
ガイドレール114は、図4に示すように、クレードル112が硬貨Cによって回動した側の斜め下方に配置され、直線的に形成されている。
本実施例においてガイドレール114は、ガイドレール片170及び後述するコイルスプリング124の上面によって構成される。
ガイドレール片170は、ポリアセタール等の耐摩耗性を有する樹脂の矩形の小片である。ガイドレール片170の厚みは2.5ミリであり、側面に可動ガイドボード104に形成された直状長孔172内でスライド可能なスライダ174が一体的に形成され、可動ガイドボード104の表側から平ワッシャ176を介してスクリュウ178をスライダ174にねじ込むことにより可動ガイドボード104に平ワッシャ176を押し付けて所定位置において固定されている。
直状長孔172は、クレードル112から離れる方向に下降するよう所定の角度で傾斜している。
ガイドレール片170も直状長孔172の傾斜方向と同方向に、即ち図4において左側に所定の角度で傾斜するように配置され、直状長孔172の範囲内において位置調整可能である。ガイドレール片170は金属製であってもよい。ガイドレール片170の上面182とコイルスプリング124の上面が一直線になるよう配置される。
【００２４】
次に固定磁石116が説明される。
固定磁石116は、ガイドレール114を転動する硬貨Cに対して磁力を作用させ、その磁力によって硬貨C内に生じる内部起電力によって、硬貨Cにも磁力を発生させて双方の磁力どうしが引き合うことにより、結果として硬貨Cに対し制動力を与える。これにより、正貨TCと偽貨FCとの材質の導電特性に基づいて正貨TCを選別する。
固定磁石116は、ブラケット184に固定されている。
ブラケット184は、固定軸136に右側の一端部が回動自在に取り付けられ、スプリング138によって可動ガイドボード104側へ付勢されている。
ブラケット184の中間に矩形ブロック状に形成されたガイド部186が設けられ、ガイド部186は、可動ガイドボード104の中間であって、一部がガイドレール114の一部の上方に形成された矩形の開口188に進退自在に挿入され、その側面192は硬貨通路106に面している。
ブラケット184の先端部にねじ込んだスクリュウ194を、バックボード126に設けられ、可動ガイドボード104に形成された開口183を介して突出する固定軸185の頭部に当接することにより、ガイド部186とバックボード126との間隔は、硬貨Cの厚みよりも僅かに大きく設定される。
すなわち、ガイド部186の側面192とバックボード126との間は、硬貨通路106である。
固定磁石116に相対するバックボード126に円形の第2開口180が形成され、円板形の磁性材料、例えば鉄製の磁力補強体190が固定されている。
固定磁石116に相対して磁力補強体190を配置することにより、磁束通路を確保し、固定磁石116の磁力を有効に硬貨Cに作用させることができる。
【００２５】
ブラケット184の先端からバックボード126側に横向きに突出する一対の第1押し棒191A、第2押し棒191Bが設けられている。第１押し棒191Aは、硬貨入口108における硬貨通路106に対し、可動ガイドボード104に形成された第2開口193Aを介して硬貨通路106に突入可能に配置されている。
第2押し棒191Bは、クレードル112の一対の第1爪166Aと第2爪166Bの間に、可動ガイドボード104に形成された第3開口193Bを介して硬貨通路106に突入可能に配置されている。
通常、第1押し棒191A、第2押し棒191Bの先端は硬貨通路106に突出せず、第2開口193A、第3開口193B内に引っ込んだ状態にされる。
可動ガイドボード104は、バックボード126の背面に固定したシャフト195に回動自在に取り付けたキャンセルレバ196の先端を下方に押し下げたとき、キャンセルレバ196から突出するピン198が可動ガイドボード104内面に形成した傾斜面たるカム202を押し、固定軸136を支点にバックボード126から離れるように回動される。
このとき、ブラケット184は移動されないので、ガイド部186及び第1押し棒191A、第2押し棒191Bは元の位置に保持され、相対的に可動ガイドボード104から突出する。
これにより、直径規制片156と規制面164との間に詰まった大径硬貨Cは、第1押し棒191Aに押し出されて下方のキャンセル通路244に落下され、結果として偽貨口146から落下する。
また、クレードル112に保持された硬貨Cは、第2押し棒191Bによって第1爪166Aと第2爪166Bとの間から押し出されて下方のキャンセル通路244に落下され、結果としてキャンセル口248から落下する。
【００２６】
次にワイパ204を説明する。
ワイパ204は、硬貨通路106において停滞した硬貨Cを硬貨通路106から排除する機能、詳しくは、固定磁石116に吸着された偽貨FCを硬貨通路106から排除する機能を有する。
ワイパ204は、可動ガイドボード104側へ突出する固定軸185に一端を回動自在に支持された片持ちレバーであり、その固定軸185に近接した部位に傾斜する長孔208が形成され、ピン198が挿入されている。ワイパ204が回動された場合、その先端はガイド部186の前方まで回動され、固定磁石116に吸着されている偽貨FCを強制的に移動させて、ガイド部186との相対状態を解除して自重により落下させる。
すなわち、ワイパ204に形成された長孔208に挿入されたピン198が下方へ移動するとき、ワイパ204は図4において反時計方向へ回動され、硬貨通路106における固定磁石116の側面192の前方へ移動できる。
【００２７】
次にコイルスプリング124が説明される。
コイルスプリング124は、ガイドレール114としての機能、及び釣り硬貨TCによる不正を防止する機能を有する。
コイルスプリング124は、隣り合う巻線200が所定の力で密着する丸線コイルスプリングであることが好ましい。隣り合う巻線200が密着する場合、釣り糸Lの太さが極めて細い場合であっても、隣り合う巻線200間に挟んで保持することができるからである。また、巻線200は金属製であることが好ましい。大きな力で無理に引っ張られた場合にもおいても、容易に永久変形されないためである。さらに、線径は、通常用いられる釣り糸Lの太さと同程度にすることが好ましい。線径が太すぎるとバネ定数が大きくなり、釣り糸Lを引っ張る程度の張力では釣り糸Lが圧接する巻線200間に割り入ることができず、釣り糸Lに対し二分の一未満の線径である場合、釣り糸Lが巻線200の上に載って巻線200間に進入し難くなるからである。
本実施例におけるコイルスプリング124は、材料がステンレス製の丸線であって、線径が0.3ミリ、巻径が5ミリの密着型丸線コイルスプリングであり、所定の長さ、本実施例では7ミリに切断される。しかし、線径は0.25〜0.3ミリの範囲が好適である。
コイルスプリング124は、可動ガイドボード104に固定される。具体的には、スライダ174の傾斜下端部に形成された円形の装着孔212に挿入することにより固定されている。詳細には、装着孔212はコイルスプリング124の外径よりも僅かに小さい孔径に形成されている。これにより、コイルスプリング124の一端を装着孔212に宛って巻方向に回すことにより外径が縮径されるため、装着孔212に挿入することができる。そして、前記巻方向への回動を止めればもとの外径に戻ろうとするので装着孔212の内面にコイルスプリング124の外面が密着し、固定状態になる。コイルスプリング124の自由端は、バックボード126の表面に密に接触される。
したがって、釣り糸Lが所定の張力でコイルスプリング124の周面に接触した場合、隣り合う巻線200を変形させてそれらの間に入り込む。これにより、釣り糸Lは巻線200のバネ力により所定の力で挟まれ、保持される。したがって、保持力を硬貨Cの重量よりも上回るように設定することにより、釣り糸Lによって引き上げられた硬貨Cはその重量によって下方へ落下することができない。
したがって、装着孔212を有するスライダ174を用いることにより、コイルスプリング124を簡単に後付することもできる。
なお、コイルスプリング124の自由端に相対するバックボード126部を凹状に座繰りすることが好ましい。釣り糸Lが巻線200間に進入する際のコイルスプリング124の抵抗を安定させるためである。
【００２８】
次に受入通路118が説明される。
受入通路118は、正貨TCが落下する通路であり、下端が正貨口144である。
受入通路118は、バックボード126の背面に位置調整可能に固定したL形のプレート214の可動ガイドボード104の下方へ延在される振分プレート216の、図4において右側に形成され、バックボード126、右サイドボード126R及び平板状の前カバ130で囲われた垂直な平板状の空間である。
図4において、振分プレート216の左側は返却通路122であり、その下端が偽貨口146である。
返却通路122はバックボード126、左サイドボード126L及び前カバ130で囲われた垂直な平板状の空間である。
振分プレート216は、正貨TCと偽貨FCとに振り分けられるように図4において横方向(バックボード126の幅方向)に位置調整され、所定の位置において固定される。
【００２９】
次にアンビル222が説明される。
アンビル222は、ガイドレール114から斜め下方へ落下した硬貨Cが衝突し、その衝突速度、材質、及び重量等で定まる跳ね返りによって、正貨TCであるか、偽貨FCであるか選別する機能を有する。
アンビル222は、右サイドボード126Rに隣接してバックボード126に固定された横向き三角形状の金属製である。
アンビル222は上向き斜面224を有する。
ガイドレール114から斜め下方へ落下した硬貨Cは、アンビル222の上向き斜面224に衝突し、所定の角度で所定量跳ね返る。
この跳ね返りによって、図4における振分プレート216の右側の受入通路118に到達した硬貨Cが正貨TCとして正貨口144から落下する。
図4における振分プレート216の左側の返却通路122に落下した硬貨Cは偽貨FCとして偽貨口146から落下する。
【００３０】
正貨TCの硬貨通路106は、硬貨入口108を通ってクレードル112からガイドレール114、受入通路118、そして正貨口144に達するルートである。
偽貨FCの硬貨通路106は、ガイドレール114、返却通路122から偽貨口146に達するルートである。
【００３１】
次にコットンチェッカ226を説明する。
コットンチェッカ226は、糸釣りされた硬貨LCが正貨口144よりも上方の硬貨入口108側に引き上げられることを防止する機能を有する。
コットンチェッカ226は、規制体228と揺動体232とを含んでいる。
規制体228は前カバ130の中央の下端からバックボード126側に突出する棒体である。換言すれば、規制体228は振分プレート216の直下において、前カバ130とバックボード126とを実質的に接続している。
【００３２】
次に揺動体232を説明する。
揺動体232は、正貨TCの正貨口144からの落下を許すように移動可能であるが、正貨口144から受入通路118へは引き上げられないよう移動しない機能を有する。
揺動体232は、バックボード126から前カバ130に向けて横向きに突出する第3固定軸234に回動自在に上端部を支持された三角形状のプレートであり、何ら外部から力を受けない場合、その先端(下端)236と規制体228との間隔が正貨TCの直径よりも小さい間隔を保っている。正貨TCが落下する場合、揺動体232は正貨TCによって押されて回動し、規制体228と先端236との間隔が正貨TCの直径よりも広がり、正貨TCがそれらの間を落下できる。
正貨口144を通貨した正貨TCが正貨口144へ引き上げられる場合、正貨TCは先端236に係合し、揺動体232は図4において時計方向へ回動されるが、先端236から横向きに突出するストッパピン238がバックボード126の下端部に係止され、回動することができない。
これにより、正貨TCは規制体228と揺動体232先端との間を通過できず引き上げることができず、結果として釣り糸Lの張力が増加する。
【００３３】
次にカウントセンサ242を説明する。
カウントセンサ242は、正貨口144から所定距離離れて正貨口144の下方に固定的に配置され、正貨口144から落下した正貨TCを検出し、計数のための信号を出力する機能を有する。
カウントセンサ242は光電式、電磁気式、マイクロセンサ等の各種のセンサを使用することができる。
したがって、コットンチェッカ226を通過した正貨TCを上下動させてカウントセンサ242を検知又は非検知にさせることにより、通過した正貨TCをカウントするためのカウント信号が不正に出力されることになる。
【００３４】
次に本実施例の作用を説明する。
まず、導電性が低い白銅硬貨、例えば100円硬貨である正貨TCが硬貨入口108に投入されたケースを説明する。
硬貨入口108に投入された正貨TCは、鉛直下方へ落下して、クレードル112の第1爪166A及び第2爪166Bによって支えられる。これにより、クレードル112に図4において反時計方向回りのモーメントが作用し、同方向へ回動する。
この回動によって、正貨TCの重心が第2爪166Bの垂直上方よりも左方へ移動するので、正貨TCは第2爪166Bを乗り越えて転がり落ちる。
転がり落ちた正貨TCは最初にガイドレール片170の上面182を転動し、次いでコイルスプリング124の上面を転動する。この転動過程において、固定磁石116の磁力による内部起電力によって、正貨TCには材質に応じた所定の制動力が作用し、所定速度でコイルスプリング124上から左下方へ落下する。
落下した正貨TCは、放物線状に落下してアンビル222の上向き斜面224に衝突し、上向きに跳ね返る。これにより、正貨TCは振分プレート216を超えて受入通路118に到達し、正貨口144から落下する。正貨口144から落下した正貨TCは、カウントセンサ242によって検知される。
【００３５】
次に投入された硬貨Cが詰まった場合等の異常時について説明する。
硬貨入口108又はクレードル112に硬貨Cが詰まった場合、キャンセルレバ196が押し下げられる。これにより、ピン198の先端が傾斜面たるカム202を押すので、可動ガイドボード104がスプリング138に反してバックボード126から離される。可動ガイドボード104が移動された場合、ブラケット184の先端に形成された第1押し棒191A又は第2押し棒191Bは静止状態であるので、相対的に第1押し棒191A又は第2押し棒191Bが可動ガイドボード104よりも硬貨通路106側へ突出する。この突出によって、クレードル112の第1爪166A、第2爪166B上に保持された硬貨Cは、第2押し棒191Bの先端によって押し出されてキャンセル通路244へ落下させられ、キャンセル口248から落下させられる。
硬貨入口108に詰まった大径硬貨Cは、第1押し棒191Aの先端によって押し出されてキャンセル通路244へ落下させられ、キャンセル口248から落下させられる。
【００３６】
次に直径、厚み及び重量が正貨TCと同様であって、鉄等の磁性材料からなる偽貨FCが投入された場合、当該偽貨FCは固定磁石116の磁力によってガイド部186の側面192に吸着されて静止される。
キャンセルレバ196が押し下げられると、ピン198の下方への移動によって、長孔208を介してワイパ204が図4において反時計方向へ回動され、ガイド部186に吸着されている偽貨FCの周面が押し下げられて、偽貨FCはガイド部186の側面192との相対から外され、下方のキャンセル通路244へ落下され、偽貨口146から落下される。
【００３７】
次に、正貨TCより導電性が高く、銅等の非磁性材料からなる偽貨FCを投入したケースを説明する。
偽貨FCは、正貨TCと同様クレードル112、ガイドレール114及びコイルスプリング124の上面に案内されてアンビル222に落下する。
しかしながら、非磁性材料からなる偽貨FCは、固定磁石116に吸着されることは無いが、正貨TCより導電性が高いため内部起電力が大きく、大きな制動力を受け、上向き傾斜面224への衝突速度が小さくなるため、跳ね返りが小さくなり、返却通路122に落下し、偽貨口146から落下する。
【００３８】
次に釣り糸Lに正貨TCが繋がれた糸釣り硬貨LCによる不正の場合を図7及び8を参照して説明する。
糸釣り硬貨LCが投入された場合、正貨TCの場合と同様に正貨口144から落下し、カウントセンサ242によって検知されてカウントのための信号が出力される。
その後、釣り糸Lが引き上げられた場合、正貨TCは規制体228と揺動体232の先端236とによって上方への移動が阻止される。結果として、釣り糸Lの張力が増加し、釣り糸Lは最短距離をとるように位置する。
これにより、ガイドレール114の下流端部に位置するコイルスプリング124に対し、正貨TCとコイルスプリング124に接線をなす第1直線L1と、第2爪166Bとコイルスプリング124に接線をなす第2直線L2とで鈍角的に釣り糸Lが接触するので、それら第1直線L1と第2直線L2のそれぞれに沿った張力T1、T2の合力F1によって、コイルスプリング124の外周面に対し圧接される。
これによって、釣り糸Lはコイルスプリング124の巻線200を押し分けてそれらの間に進行し、巻線200の復帰力によってそれら巻線200間に所定の力で挟まれて保持される。
この保持力は、正貨TCの重量による下方への移動力よりも大きいので、釣り糸Lは巻線200によって保持され、結果として糸釣り硬貨LCは下方へ自重によって移動することができない。
したがって、釣り糸Lを上下動させてカウントセンサ242にカウント信号を出力させる不正を行うことはできない。
【００３９】
なお、本発明は種々の変更が可能である。
例えば、固定磁石116を配置しないことができる。
【符号の説明】
【００４０】
C  硬貨
104  可動ガイドボード
106  硬貨通路
108  硬貨入口
112  クレードル
114  ガイドレール
118  受入通路
122  返却通路
124  コイルスプリング
126  バックボード
200  巻線
【手続補正３】
【補正対象書類名】図面
【補正対象項目名】図１
【補正方法】変更
【補正の内容】
【図１】
2013003673.tif 000001
【手続補正４】
【補正対象書類名】図面
【補正対象項目名】図２
【補正方法】変更
【補正の内容】
【図２】
2013003673.tif 000002
【手続補正５】
【補正対象書類名】図面
【補正対象項目名】図３
【補正方法】変更
【補正の内容】
【図３】
2013003673.tif 000003
【手続補正６】
【補正対象書類名】図面
【補正対象項目名】図４
【補正方法】変更
【補正の内容】
【図４】
2013003673.tif 000004
【手続補正７】
【補正対象書類名】図面
【補正対象項目名】図７
【補正方法】変更
【補正の内容】
【図７】
2013003673.tif 000005
【手続補正８】
【補正対象書類名】図面
【補正対象項目名】図８
【補正方法】変更
【補正の内容】
【図８】
2013003673.tif 000006